(57)【要約】【課題】貯水タンクに溜まった水の排水がし易い貯水装置を得ることを目的とする。【解決手段】貯水タンク８の天面に水滴を受ける注水口４と、貯水タンク８に溜まった水を排水するように天面の片寄った位置に着脱自在なキャップ１３を有した排水口５とを設け、貯水タンク８の排水時に貯水タンク８内に空気を供給し排水が容易にできるように、注水口４を排水空気孔９を兼ねるように形成することにより、貯水タンク８の排水がし易い貯水装置が得られる。【選択図】図１
2005221168.tif 000002
【特許請求の範囲】
【請求項１】
機器本体の収容部に着脱自在に収容される貯水タンクと、この貯水タンクの天面に前記本体から水滴を受ける注水口と、前記貯水タンクに溜まった水を排水するように天面の片寄った位置に設けられる排水口とを備え、前記貯水タンクの排水時に貯水タンク内に空気を供給し排水を容易にする排水空気孔を、前記排水口の反対側の天面に設けた貯水装置。
【請求項２】
注水口が排水空気孔を兼ねるように形成した請求項１記載の貯水装置。
【請求項３】
天面に注水口よりも低い低位部を有する貯水タンクを備え、前記低位部以上の水位に貯水できるように前記貯水タンク内の空気を抜く貯水空気孔を設けた請求項１記載の貯水装置。
【請求項４】
排水口を密閉する着脱自在なタンクキャップを設け、前記タンクキャップに貯水空気孔を設けた請求項１記載の貯水装置。
【請求項５】
タンクキャップの貯水空気孔の位置をタンク蓋の中心側に寄せて形成した請求項４記載の貯水装置。
【請求項６】
注水口の一部に、滴下してきた水滴の流入を円滑にする切り欠き部を設けた請求項１記載の貯水タンク。
【請求項７】
注水口から注水した水滴を天面から内部の水面に流入させる案内手段を設けた請求項１記載の貯水装置。
【請求項８】
案内手段を、注水口の出口から貯水タンクの側壁に到るパイプで構成した請求項７記載の貯水装置。
【請求項９】
貯水タンクの側壁に窓部を形成し、水滴の流下状態を目視可能とした請求項８記載の貯水装置。
【請求項１０】
貯水タンクを排水口側に傾けることによってタンクキャップが開き、排水可能とした請求項１または４記載の貯水装置。
【発明の詳細な説明】
【技術分野】
【０００１】
本発明は、除湿装置などの機器本体に着脱自在に設けられるドレンタンクを設けた貯水装置に関する。
【背景技術】
【０００２】
従来、この種の貯水装置の一例としてドレン水を貯水するドレンタンクが知られている（例えば、特許文献１参照）。
【０００３】
以下、そのドレンタンクについて図７および図８を参照しながら説明する。
【０００４】
図に示すように、ドレンタンク１０１の上面１０２にドレンタンク水をドレンタンク１０１内に導入するドレン口１０３を設け、ドレンタンク１０１の前面１０４と上面１０２に取手１０５、１０６を設け、ドレンタンク１０１内に貯水されたドレン水を排水するときには、図８に示すように、上面１０２に設けた取手１０６を持ってドレンタンク１０１を傾けてドレン口１０３より排水するように構成している。
【特許文献１】特開平１０−２２７４８２号公報（［００１７］［００２４］）、図２、図５）
【発明の開示】
【発明が解決しようとする課題】
【０００５】
このような従来のドレンタンクでは、排水時に密閉状態のドレンタンク１０１に設けたドレン口１０３より排水していたので、ドレン口１０３よりドレン水が排水されるに伴いドレンタンク１０１内に空気の流入がないために、ドレンタンク１０１内が負圧状態となり、ドレン口１０３からの排水がしにくく、また、ドレンタンク１０１の上面中央に凹部１０７が障害となって、ドレン口１０３と反対側のタンク内に水が入りにくいという課題があり、排水をし易くするとともに、ドレンタンク内のデットスペースをなくして全ての容積に水が入ることが要求されている。
【０００６】
本発明は、上記課題を解決するもので、ドレンタンクに溜まったドレン水の排水がし易く、ドレンタンク内の貯水容量を有効に利用することのできる貯水装置を提供することを目的としている。
【課題を解決するための手段】
【０００７】
本発明の貯水装置は上記目的を達成するために、装置本体の収容部に着脱自在に収容される貯水タンクとこの貯水タンクの天面に前記本体から水滴を受ける注水口と、前記貯水タンクに溜まった水を排水するように天面の片寄った位置に設けられる排水口とを備え、前記貯水タンクの排水時に貯水タンク内に空気を供給し排水を容易にする排水空気孔を、前記排水口の反対側の天面に設けたものである。
【０００８】
この手段により、排水口から排水するときの排水がし易くなる貯水装置が得られる。
【０００９】
また、他の手段は、注水口が排水空気孔を兼ねるように形成したものである。
【００１０】
この手段により、排水空気孔を別途設ける必要がなくなる。
【００１１】
また、他の手段は、天面に注水口よりも低い低位部を有する貯水タンクを備え、前記低位部以上の水位に貯水できるように前記貯水タンク内の空気を抜く貯水空気孔を設けたものである。
【００１２】
この手段により、タンクの天面のドレン口と反対側の突き出た部分にも貯水することができ、ドレンタンク内の貯水容量を有効に利用することができる貯水装置が得られる。
【００１３】
また、他の手段は、排水口を密閉する着脱自在なタンクキャップを設け、前記タンクキャップに貯水空気孔を設けたものである。
【００１４】
この手段により、貯水容量を確保するとともに、タンクキャップを外すときに空気の流入があり外し易くなる貯水装置が得られる。
【００１５】
また、他の手段は、タンクキャップの貯水空気孔の位置をタンク蓋の中心側に寄せて形成したものである。
【００１６】
この手段により、貯水空気孔から水滴が飛び出さないようにできる。
【００１７】
また、他の手段は、注水口の一部に、滴下してきた水滴の流入を円滑にする切り欠き部を設けたものである。
【００１８】
この手段により、切り欠き部があるため注入口に水の膜が張ることがなくなり、水がスムーズに流れる貯水装置が得られる。
【００１９】
また、他の手段は、注水口から注水した水滴を天面から内部の水面に流入させる案内手段を設けたものである。
【００２０】
この手段により、水面への着水音が発生しなくなる貯水装置が得られる。
【００２１】
また、他の手段は、案内手段を注水口の出口から貯水タンクの側壁の到るパイプで構成したものである。
【００２２】
この手段により、水滴が貯水タンクの側壁を伝わることにより着水音が発生しなくなる。
【００２３】
また、他の手段は、貯水タンクの側壁に窓部を形成し、水滴の流下状態を目視可能としたものである。
【００２４】
この手段により、貯水タンクに水が貯えられる様子が目視確認できる。
【００２５】
また、他の手段は、貯水タンクを排水口側に傾けることによってタンクキャップが開き排水可能としたものである。
【００２６】
この手段により、タンクキャップを外す手間を省いて片手で排水が可能となる貯水装置が得られる。
【発明の効果】
【００２７】
本発明によれば、空気の流通を良くして排水がし易くなるという効果のある貯水装置を提供できる。
【００２８】
また、排水空気孔を別途設ける必要のない貯水装置を提供できる。
【００２９】
また、貯水タンク内の貯水容量を確保することができる。
【００３０】
また、ドレン水の流入がし易くなるとともに、タンクキャップが外し易くなる。
【００３１】
また、貯水空気孔から水滴が飛び出すのを防止できる。
【００３２】
また、注水口からの水の流れがスムーズとなる貯水装置を提供できる。
【００３３】
また、水面への着水音の発生を防止できる貯水装置を提供できる。
【００３４】
また、キャップ付きタンクを片手で傾けるだけで排水が可能となる。
【発明を実施するための最良の形態】
【００３５】
本発明の請求項１記載の発明は、装置本体の収容部に着脱自在に収容される貯水タンクと、この貯水タンクの天面に前記本体から水滴を受ける注水口と、前記貯水タンクに溜まった水を排水するように天面の片寄った位置に設けられる排水口とを備え、前記貯水タンクの排水時に貯水タンク内に空気を供給し排水を容易にする排水空気孔を、前記排水口の反対側の天面に設けたものであり、貯水タンク内の水を排水口から排水するときに、排水口の反対側に設けた排水空気孔より順次空気が貯水タンク内に流入し、貯水タンク内が排水により負圧になることがなくなり、排水がし易くなるという作用を有する。
【００３６】
また、請求項２記載の発明は、注水口を排水空気孔を兼ねるように形成したものであり、貯水タンク内の水を排水口から排水するときに排水口反対側に設けた注水口より順次空気が貯水タンク内に流入し、貯水タンク内が排水により負圧になることがなくなり、注水口が排水空気孔を兼ねることとなり、排水がし易くなるという作用を有する。
【００３７】
また、請求項３記載の発明は、天面に注水口より低い低位部を有する貯水タンクを備え、前記低位部以上の水位に貯水できるように前記貯水タンク内の空気を抜く貯水空気孔を設けたものであり、貯水タンクの天面に取手を設けるために形成された低位部があっても、天面の高所に貯水タンク内の空気を抜く貯水空気孔が設けられていることによって、貯水タンクの低位部より高い位置となる貯水タンクの高位部にも貯水することが可能となり低位部以上の水位を確保することができ、貯水容量を確認することができる作用を有する。
【００３８】
また、請求項４記載の発明は、排水口を密閉する着脱自在なタンクキャップを設け、前記タンクキャップに貯水空気孔を設けたものであり、注水口から貯水タンク内にドレン水が流入するときには、貯水タンクに設けた貯水空気孔より貯水タンク内の空気が順次出ていくこととなり、貯水タンクの貯水容量を確保することができるとともに、タンクキャップを外すときに貯水空気孔より空気が流入することによりタンクキャップが外し易くなる。
【００３９】
また、請求項５記載の発明は、タンクキャップの貯水空気孔の位置をタンク蓋の中心側に寄せて形成したものであり、タンクキャップに設けられる貯水空気孔の位置が中心側に寄ることにより、貯水タンク内で水が波立ちした場合には、貯水タンクの周辺部に波立ちが発生することとなり、中心側で波立ちが小さく、中心側に設けた貯水空気孔からは水滴が飛び出さないという作用を有する。
【００４０】
また、請求項６記載の発明は、注水口の一部に、滴下してきた水滴の流入を円滑にする切り欠き部を設けたものであり、切り欠き部により注水口に水の膜が形成されることがなくなり、注水口から貯水タンク内にスムーズに水が流入することとなり、注水口の入口部分で水があふれることがなくなる作用を有する。
【００４１】
また、請求項７記載の発明は、注水口から注水した水滴を天面から内部の水面に流入させる案内手段を設けたものであり、注水口から注水した水滴が、注水口を設けた天面から貯水タンク内の水面に至る間に案内手段を設けたことにより、注水口下端部から直接水面に滴下することがなくなり、着水音が発生しないようにすることができる作用を有する。
【００４２】
また、請求項８記載の発明は、案内手段を、注水口の出口から貯水タンクの側壁に到るパイプで構成したものであり、注水口から貯水タンク内に流入する水滴は注水口の出口から貯水タンクの側壁まで水滴パイプで導かれることにより、水滴は貯水タンクの側壁を伝って下降することとなり、着水音の発生することがなくなる作用を有する。
【００４３】
また、請求項９記載の発明は、貯水タンクの側壁に窓部を形成し、水滴の流下状態を目視可能としたものであり、貯水タンクへ水が貯えられる様子が目視確認でき便利となるとともに、貯水タンクを設けた機器本体の運転状態を知ることができる作用を有する。
【００４４】
また、請求項１０記載の発明は、貯水タンクを排水口側に傾けることによってタンクキャップが開き排水可能としたものであり、貯水タンクを排水口側に傾けるだけで、タンクキャップが自動的に開くので、片手で持った状態で排水が可能となる作用を有する。
【００４５】
以下、本発明の実施の形態について図面を参照しながら説明する。
【００４６】
（実施の形態１）
図１〜図４に示すように、本体７に着脱自在に装着される貯水タンク８は、上方が開口したタンク部１と、タンク部１の上方開口を覆うタンク蓋２と、タンク部１とタンク蓋２を結合する結合手段３で構成されるタンク蓋２に注水口４、排水口５および取手手段６とを設け、タンク部１にカバー８ａ、８ｂを設けている。
【００４７】
そして、タンク蓋２の端部に形成される排水口５の反対側に貯水タンク８内に空気を流通して排水を容易にするように、注水口４を排水空気孔９を兼ねるように形成する。
【００４８】
また、貯水タンク８の天面に取手手段６を設けるための低位部１０を形成したことにより、低位部１０の両側に高位部１１が形成され、高位部１１に貯水タンク８内の空気を抜く貯水空気孔１２を設ける。排水口５にはタンクキャップ１３を設け、タンクキャップ１３に貯水空気孔１２Ａを設け、貯水空気孔１２Ａの位置はタンク蓋２の中心側寄りに設ける。
【００４９】
また、注水口４の一部に滴下した水滴の流入を円滑にする切り欠き部１４を設ける。
【００５０】
また、貯水タンク８の内壁面に水滴の流下状態を目視可能となるように窓部１５を設けるとともに、水位を調整するフロートスイッチ１６を設けて構成する。
【００５１】
上記構成において、貯水タンク８に貯水するときには、タンク部１にタンク蓋２を結合手段３で結合し形成した貯水タンク８を本体７内に収納し、本体７側から排水される水滴を注水口４より流入させて貯水を行なう。このとき、貯水タンク８の高位部１１に設けた貯水空気孔１２より貯水に伴い貯水タンク８内の空気が排出され、貯水タンク８の水位は低位部より高い水位まで貯水が可能となり、貯水容量が確保されることとなる。
【００５２】
そして、貯水タンク８内に貯水された水を排水するときには貯水タンク８の排水口５に設けられたタンクキャップ１３を取り外す。このとき、タンクキャップ１３に設けた貯水空気孔１２Ａより貯水タンク８内に空気が流入することにより、タンクキャップ１３が外し易くなる。また、開放された排水口５より排水するときには排水口５の反対側に設けた注水口４より貯水タンク８内に空気が流入し、注水口４が排水空気孔９を兼ねることとなり、排水口５からの排水がし易くなる。
【００５３】
さらに、タンクキャップ１３の貯水空気孔１２Ａの位置をタンク蓋２の中心側に寄せて形成していることにより、貯水タンク８内で波立ちが生じても貯水空気孔１２Ａは波立ちの小さいところにあり、貯水空気孔１２Ａより水滴が飛び出すことはない。
【００５４】
また、注水口４の一部に滴下してきた水滴の流入を円滑にする切り欠き部１４を設けていることにより注水口４の端部に水の膜が張ることがなくなり、水滴はスムーズに流れて貯水される。
【００５５】
なお、本実施の形態では、貯水空気孔１２をタンクキャップ１３に設け、貯水空気孔１２Ａを高位部１１に設けているが、貯水空気孔はいずれか１つとしても良い。
【００５６】
（実施の形態２）
図１および図５に示すように、タンク蓋２注水口４の下方出口から貯水タンク８の側壁１７に到るまでパイプ１８を案内手段１９として設け、注水口４から注水した水滴を天面からパイプ１８と側壁１７を介して水面に流入させるようにしている。側壁１７には貯水タンク８の内部を透視できる窓部１５を設け、パイプ１８を出た流水が窓部１５の内側を伝わるようにしている。
【００５７】
上記構成において、注水口４から流入した水滴は、注水口４の端部からパイプ１８により形成された案内手段１９により貯水タンク８の側壁１７に向け流出し、側壁１７に沿い下降して貯水タンク８に貯水される。このことにより、水面への着水音の発生することがなくなり、静音の貯水タンク８が得られる。
【００５８】
また、貯水タンク８に設けた窓１６から水滴の流下状態が視認できることにより、貯水タンク８へ水が貯えられる様子が直接観察されて、機器本体の運転状況が視覚的に理解できることとなる。
【００５９】
（実施の形態３）
図６に示すように、タンク蓋２Ａの排水口５Ａにタンクキャップ１３Ａを開閉可能に設けている。すなわち排水口５Ａの上部に設けたタンクキャップ１３Ａには支点１３Ｂを中心に左右均衡を保つように重錘２０を有し、貯水タンク８を傾けるに伴いタンク蓋２Ａも傾くが、タンクキャップ１３Ａは略水平状態を維持する構成としている。
【００６０】
上記構成において、貯水タンク８内の水を排水するときに、貯水タンク８を矢印方向に傾けると、タンク蓋２Ａの排水口５Ａに設けられているタンクキャップ１３Ａが略水平状態に維持されることとなり、点線の位置に保たれたタンクキャップ１３Ａとの排水口５Ａとの間に排水開口２１が形成され、排水を行なうことができる。このことにより、排水口５Ａは自動的に開き、片手で持った状態で排水が可能となる。
【産業上の利用可能性】
【００６１】
除湿機の貯水タンクとして利用する以外に、汚水や廃液などの液体を少しずつ貯えて、廃棄または後処理するための貯液タンクとしての用途にも適用できる。
【図面の簡単な説明】
【００６２】
【図１】本発明の実施の形態１の貯水装置の斜視図
【図２】同貯水装置の分解斜視図
【図３】同貯水装置を本体に取り付けた状態を示す斜視図
【図４】（イ）同貯水装置の注水口に設けた切り欠き部を示す斜視図（ロ）同要部拡大図
【図５】本発明の実施の形態２の貯水装置の案内手段を示す斜視図
【図６】本発明の実施の形態３の貯水装置の排水時の状態を示す断面図
【図７】従来のドレンタンクの斜視図
【図８】同ドレンタンクの排水時の状態を示す側面図
【符号の説明】
【００６３】
４      注水口
４Ａ    注水口
５      排水口
５Ａ    排水口
７      本体
８      貯水タンク
９      排水空気孔
１０    低位部
１２    貯水空気孔
１２Ａ  貯水空気孔
１３    タンクキャップ
１３Ａ  タンクキャップ
１４    切り欠き部
１５    窓部
１７    内壁面
１８    パイプ
１９    案内手段
２１    排水開口
【図１】
2005221168.tif 000003
【図２】
2005221168.tif 000004
【図３】
2005221168.tif 000005
【図４】
2005221168.tif 000006
【図５】
2005221168.tif 000007
【図６】
2005221168.tif 000008
【図７】
2005221168.tif 000009
【図８】
2005221168.tif 000010